(57)【要約】【課題】ホスティングサービスサイトのメールアドレス利用者が、申込書にて１ｔｏ１ＥＣサイトのユーザ登録をしなくてもよいこと。また、１ｔｏ１ＥＣサイトを運営する業者が手動でユーザ情報をデータベースに登録しなくてもよいこと。【解決手段】ホスティングサービスサイトのサーバ装置２００が、端末装置１００から送信されたメールアドレス作成の要求を受信するステップと、当該メールアドレス作成の要求をもとにメールアドレスを作成するステップと、１ｔｏ１ＥＣサイトのサーバ装置３００に送信するステップとを備え、かつ、１ｔｏ１ＥＣサイトのサーバ装置３００が、ホスティングサービスサイトのサーバ装置２００から送信されたメールアドレス情報を受信するステップと、受信したメールアドレス情報をもとに、ホスティングサービスサイトのメールアドレス利用者を、１ｔｏ１ＥＣサイトの利用者として１ｔｏ１ＥＣサイトのサーバ装置３００の記憶手段に記憶するステップとを備える。【選択図】  図１
2004164049.tif 000002
【特許請求の範囲】
【請求項１】
ネットワークに接続された、端末装置と、ホスティングサービスサイトのサーバ装置と、１ｔｏ１ＥＣサイトのサーバ装置とからなる１ｔｏ１ＥＣサイト利用者登録システムにおいて、
前記端末装置の処理手段が、前記ホスティングサービスサイトのサーバ装置に対して、メールアドレス作成の要求を当該端末装置のネットワーク接続手段を介して送信するステップを備えると共に、
前記ホスティングサービスサイトのサーバ装置の処理手段が、前記端末装置から送信されたメールアドレス作成の要求を当該サーバ装置のネットワーク接続手段を介して受信するステップと、当該メールアドレス作成の要求をもとにメールアドレスを作成するステップと、作成したメールアドレスとその利用者の情報を前記ホスティングサービスサイトのサーバ装置の記憶手段に記憶した後、前記１ｔｏ１ＥＣサイトのサーバ装置にホスティングサービスサイトのサーバ装置のネットワーク接続手段を介して送信するステップとを備え、
かつ、前記１ｔｏ１ＥＣサイトのサーバ装置の処理手段が、前記ホスティングサービスサイトのサーバ装置から送信されたメールアドレス情報を１ｔｏ１ＥＣサイトのサーバ装置のネットワーク接続手段を介して受信するステップと、受信したメールアドレス情報をもとに、ホスティングサービスサイトのメールアドレス利用者を、１ｔｏ１ＥＣサイトの利用者として１ｔｏ１ＥＣサイトのサーバ装置の記憶手段に記憶するステップとを備えることを特徴とする１ｔｏ１ＥＣサイトの利用者自動登録方法。
【請求項２】
ホスティングサービスを提供するサーバ装置において、
当該サーバ装置は、処理手段、記憶手段、並びにネットワーク接続手段を備え、当該サーバ装置の処理手段が、メールアドレス作成の要求を当該サーバ装置のネットワーク接続手段を介して受信するステップと、当該メールアドレス作成の要求をもとにメールアドレスを作成するステップと、作成したメールアドレス及び／又はその利用者の情報を当該サーバ装置の記憶手段に記憶した後、前記１ｔｏ１ＥＣサイトのサーバ装置に、前記ホスティングサービスサイトのサーバ装置のネットワーク接続手段を介して送信するステップとを備えることを特徴とするホスティングサービスサイトサーバ装置。
【請求項３】
１ｔｏ１ＥＣサービスを提供するサーバ装置において、
当該サーバ装置は、処理手段、記憶手段、並びにネットワーク接続手段を備え、当該サーバ装置の処理手段が、前記ホスティングサービスサイトのサーバ装置から送信されたメールアドレス及び／又はその利用者情報を１ｔｏ１ＥＣサイトのサーバ装置のネットワーク接続手段を介して受信するステップと、受信したメールアドレス及び／又はその利用者情報をもとに、ホスティングービスサイトのメールアドレスの新規利用者を、１ｔｏ１ＥＣサイトの利用者として前記１ｔｏ１ＥＣサイトのサーバ装置の記憶手段に記憶するステップとを備えることを特徴とする１ｔｏ１ＥＣサイトサーバ装置。
【請求項４】
前記端末装置から送信されたメールアドレス作成の要求を前記ホスティングサービスサイトのサーバ装置のネットワーク接続手段を介して受信するステップと、当該メールアドレス作成の要求をもとにメールアドレスを作成するステップと、作成したメールアドレス及び／又はその利用者の情報を前記ホスティングサービスサイトのサーバ装置の記憶手段に記憶した後、前記１ｔｏ１ＥＣサイトのサーバ装置に、前記ホスティングサービスサイトのサーバ装置のネットワーク接続手段を介して送信するステップとを、前記ホスティングサービスサイトのサーバ装置の処理手段に実行させることを特徴とするメールアドレス作成プログラム。
【請求項５】
前記ホスティングサービスサイトのサーバ装置から送信されたメールアドレス及び／又はその利用者情報を、前記１ｔｏ１ＥＣサイトのサーバ装置のネットワーク接続手段を介して受信するステップと、受信したメールアドレス及び／又はその利用者情報をもとに１ｔｏ１ＥＣサイトの利用者として、ホスティングサービスサイトのメールアドレス利用者を、前記１ｔｏ１ＥＣサイトのサーバ装置の記憶手段に記憶するステップを前記１ｔｏ１ＥＣサイトのサーバ装置の処理手段に実行させることを特徴とするサイト連携プログラム。
【発明の詳細な説明】
【０００１】
【発明の属する技術分野】
本発明は、インターネット上に存在するサイト毎のユーザ登録に関し、特にホスティングサービスサイトのメールアドレス情報をもとに１ｔｏ１ＥＣサイトへのユーザ登録を自動で行うシステム等に関する。
【０００２】
【従来の技術】
従来、ホスティングサービスサイトにおけるメールアドレス作成と１ｔｏ１ＥＣサイトのユーザ登録はそれぞれ独立に行われていた。ホスティングサービスサイトのユーザ（以下、ドメイン管理者と呼ぶ。）はドメインを取得し各種サービスを第三者に提供することができる。メールアドレス作成サービスはその一例として挙げられる。また、１ｔｏ１ＥＣサイトのユーザは電子商取引等のサービスを利用することができる。ホスティングサービスサイトのメールアドレス情報はホスティングサービスサイトのデータベースにのみ登録され、１ｔｏ１ＥＣサイトのユーザ情報は１ｔｏ１ＥＣサイトのデータベースにのみ登録されていた。これら２つのサイトのデータベースは互いに独立し、情報を連携することはなかった。
【０００３】
【発明が解決しようとする課題】
しかしながら、ホスティングサービスサイトのドメインで新規作成されるメールアドレスを利用し、かつ、１ｔｏ１ＥＣサイトを新規利用する場合において、メールアドレスを利用しようとする者は、ホスティングサービスサイトのドメイン管理者にメールアドレスの作成を依頼し、作成されたメールアドレスと利用者情報（氏名、電話番号など）を１ｔｏ１ＥＣサイトに申込書にて連絡しなければならず、手間が発生していた。
【０００４】
一方、１ｔｏ１ＥＣサイトを運営する業者は申込書をもとにデータベースに手動で登録しなければならず、労力が大きかった。
【０００５】
【発明の目的】
本発明は、上記問題点に鑑み、ホスティングサービスサイトのメールアドレス利用者が、別途、申込書にて１ｔｏ１ＥＣサイトのユーザ登録をしなくてもよいことを目的とする。また、１ｔｏ１ＥＣサイトを運営する業者が手動でユーザ情報をデータベースに登録しなくてもよいことを目的とする。
【０００６】
【課題を解決するための手段】
上記目的を達成するため、請求項１記載の発明は、ネットワークに接続された、端末装置と、ホスティングサービスサイトのサーバ装置と、１ｔｏ１ＥＣサイトのサーバ装置とからなる１ｔｏ１ＥＣサイト利用者登録システムに適用される。端末装置の処理手段は、ホスティングサービスサイトのサーバ装置に対して、メールアドレス作成の要求を当該端末装置のネットワーク接続手段を介して送信するステップを実行する。一方、ホスティングサービスサイトのサーバ装置の処理手段は、端末装置から送信されたメールアドレス作成の要求を当該サーバ装置のネットワーク接続手段を介して受信するステップを実行する。そして、ホスティングサービスサイトのサーバ装置の処理手段は、当該メールアドレス作成の要求をもとにメールアドレスを作成するステップと、作成したメールアドレスとその利用者の情報をホスティングサービスサイトのサーバ装置の記憶手段に記憶するステップとを実行する。さらに、ホスティングサービスサイトのサーバ装置の処理手段は、当該作成したメールアドレスとその利用者の情報を、１ｔｏ１ＥＣサイトのサーバ装置に、ホスティングサービスサイトのサーバ装置のネットワーク接続手段を介して送信するステップを実行する。また、１ｔｏ１ＥＣサイトのサーバ装置の処理手段は、ホスティングサービスサイトのサーバ装置から送信されたメールアドレス情報を１ｔｏ１ＥＣサイトのサーバ装置のネットワーク接続手段を介して受信するステップを実行する。そして、１ｔｏ１ＥＣサイトのサーバ装置の処理手段は、受信したメールアドレス情報をもとに、ホスティングービスサイトのメールアドレスの新規利用者を、１ｔｏ１ＥＣサイトの利用者として、１ｔｏ１ＥＣサイトのサーバ装置の記憶手段に記憶するステップを実行する。
【０００７】
本発明を適用したシステムは、ホスティングサービスサイトのメールアドレス作成をトリガーとして、１ｔｏ１ＥＣサイトのユーザ登録を自動で行うことができる。これにより、ホスティングサービスサイトのメールアドレスの新規利用者は、１ｔｏ１ＥＣサイトのサービスを初めて利用するにあたって、メールアドレス及び／又は利用者情報（氏名など）を１ｔｏ１ＥＣサイトに申込書にて連絡しないで済むようになる。また、１ｔｏ１ＥＣサイトを運営する業者は、ホスティングサービスサイトのメールアドレスの新規利用者に関して、申込書をもとに手動でユーザ登録しなくて済むようになる。
【０００８】
請求項２記載の発明は、ホスティングサービスを提供するサーバ装置であって、処理手段、記憶手段、並びにネットワーク接続手段を備えている。当該サーバ装置の処理手段は、メールアドレス作成の要求を当該サーバ装置のネットワーク接続手段を介して受信するステップを実行する。次に、ホスティングサービスサイトのサーバ装置の処理手段は、当該メールアドレス作成の要求をもとにメールアドレスを作成するステップと、作成したメールアドレス及び／又はその利用者の情報を当該サーバ装置の記憶手段に記憶するステップとを実行する。さらに、ホスティングサービスサイトのサーバ装置の処理手段は、当該作成したメールアドレスとその利用者の情報を、１ｔｏ１ＥＣサイトのサーバ装置に、ホスティングサービスサイトのサーバ装置のネットワーク接続手段を介して送信するステップを実行する。
【０００９】
本発明により、ホスティングサービスの利用者がホスティングサービスサイトのメールアドレスを新規作成すると、当該新規作成されたメールアドレス及び／又はその利用者情報が、自動で１ｔｏ１ＥＣサイトのサーバ装置に送信される。これにより、ホスティングサービスサイトのメールアドレスの新規利用者は、１ｔｏ１ＥＣサイトのサービスを初めて利用するにあたって、メールアドレス及び／又はその利用者情報（氏名など）を１ｔｏ１ＥＣサイトに申込書にて連絡しないで済むようになる。
【００１０】
請求項３記載の発明は、１ｔｏ１ＥＣサービスを提供するサーバ装置であって、処理手段、記憶手段、並びにネットワーク接続手段を備えている。当該サーバ装置の処理手段は、ホスティングサービスサイトのサーバ装置から送信されたメールアドレス及び／又はその利用者情報を１ｔｏ１ＥＣサイトのサーバ装置のネットワーク接続手段を介して受信するステップを実行する。次に、１ｔｏ１ＥＣサイトのサーバ装置の処理手段は、当該受信したメールアドレス及び／又はその利用者情報をもとに、ホスティングービスサイトのメールアドレスの新規利用者を、１ｔｏ１ＥＣサイトの利用者として、１ｔｏ１ＥＣサイトのサーバ装置の記憶手段に記憶するステップを実行する。
【００１１】
本発明により、１ｔｏ１ＥＣサイトを運営する業者は、ホスティングサービスサイトのメールアドレスの新規利用者に関して、申込書をもとに手動でユーザ登録しなくて済むようになる。
【００１２】
請求項４記載の発明は、ホスティングサービスサイトのサーバ装置の処理手段によって実行されるプログラムである。当該プログラムを実行するホスティングサービスサイトのサーバ装置の処理手段は、端末装置から送信されたメールアドレス作成の要求をホスティングサービスサイトのサーバ装置のネットワーク接続手段を介して受信するステップを実行することができる。次に、当該プログラムを実行しているホスティングサービスサイトのサーバ装置の処理手段は、当該メールアドレス作成の要求をもとにメールアドレスを作成するステップと、作成したメールアドレス及び／又はその利用者の情報をホスティングサービスサイトのサーバ装置の記憶手段に記憶するステップとを実行することができる。さらに、当該プログラムを実行しているホスティングサービスサイトのサーバ装置の処理手段は、１ｔｏ１ＥＣサイトのサーバ装置に、当該作成したメールアドレス及び／又はその利用者の情報を、ホスティングサービスサイトのサーバ装置のネットワーク接続手段を介して送信するステップを実行することが可能になる。
【００１３】
本発明をホスティングサービスサイトのサーバ装置の処理手段に実行させることにより、ホスティングサービスの利用者がホスティングサービスサイトのメールアドレスを新規に作成すると、当該新規作成されたメールアドレス及び／又はその利用者情報が、自動で１ｔｏ１ＥＣサイトのサーバ装置に送信される。これにより、ホスティングサービスサイトのメールアドレスの新規利用者は、１ｔｏ１ＥＣサイトのサービスを初めて利用するにあたって、メールアドレスと利用者情報（氏名など）を１ｔｏ１ＥＣサイトに申込書にて連絡しないで済むようになる。
【００１４】
請求項５記載の発明は、１ｔｏ１ＥＣサイトのサーバ装置の処理手段によって実行されるプログラムである。当該プログラムを実行する１ｔｏ１ＥＣサイトのサーバ装置の処理手段は、ホスティングサービスサイトのサーバ装置から送信されたメールアドレス及び／又はその利用者情報を、１ｔｏ１ＥＣサイトのサーバ装置のネットワーク接続手段を介して受信するステップを実行することができる。そして、当該プログラムを実行する１ｔｏ１ＥＣサイトのサーバ装置の処理手段は、当該受信したメールアドレス及び／又はその利用者情報をもとに、ホスティングービスサイトのメールアドレスの新規利用者を、１ｔｏ１ＥＣサイトの利用者として、１ｔｏ１ＥＣサイトのサーバ装置の記憶手段に記憶するステップを実行することが可能になる。
【００１５】
本発明を１ｔｏ１ＥＣサイトのサーバ装置の処理手段に実行させることにより、１ｔｏ１ＥＣサイトを運営する業者は、ホスティングサービスサイトのメールアドレスの新規利用者に関して、申込書をもとに手動でユーザ登録しなくて済むようになる。
【００１６】
【発明の実施の形態】
以下、図面を参照しながら、本発明の実施形態の一例について説明する。
【００１７】
図１は、本実施形態のシステム全体の構成図である。インターネット４００に複数の端末装置１００と、ホスティングサービスサイトサーバ装置２００と、１ｔｏ１ＥＣサイトサーバ装置３００とが接続されている。ホスティングサービスサイトサーバ装置２００及び１ｔｏ１ＥＣサイトサーバ装置３００はセキュリティ上の配慮からＦｉｒｅｗａｌｌを介してインターネット４００に接続されている。ホスティングサービスサイトサーバ装置２００は、ホスティングサービスの利用者であるドメイン管理者に対して、メールアドレスを作成する機能を提供する。１ｔｏ１ＥＣサイトサーバ装置３００は、登録されたユーザに対して、電子商取引等のサービスを提供する。ホスティングサービスサイトのドメイン管理者は、端末装置１００のＷＷＷブラウザ１０９で所定のＵＲＬを指定することにより、メールアドレス作成画面を表示し、メールアドレスを作成することができる。また、一般のユーザは、端末装置１００のＷＷＷブラウザ１０９で所定のＵＲＬを指定することにより、ホスティングサービスサイト及び１ｔｏ１ＥＣサイトの提供する各種サービスを利用することができる。
【００１８】
図２は、一般的な端末装置１００であるパソコン等の構成図である。バス１０１に対し、入力手段としてのキーボード１０３及びマウス１０２、表示手段としてのディスプレイ１０４、処理手段としてのＣＰＵ１０５、記憶手段としてのＲＡＭ１０６、ＲＯＭ及びハードディスクドライブ１０７（ＨＤＤ）、並びにネットワーク接続手段としてのネットワークカード１０８が接続されている。Ｉ／Ｆはバス１０１と各種デバイスのインターフェースを示している。ＨＤＤ１０７には、ＷＷＷブラウザ１０９ソフトウェア、ネットワークカードの制御ソフトウェア等が格納されている。ＣＰＵ１０５は、ＨＤＤ１０７に予め格納された所定のソフトウェアプログラムをＲＡＭ１０６に読み出して実行することにより、ネットワークカード１０８を介してインターネット４００に接続する機能と、ＷＷＷブラウザ１０９を起動して各サイトのＷＥＢサーバに接続する機能と、ＷＥＢサーバから送信されたファイルをＷＷＷブラウザ１０９を介してディスプレイ１０４に表示する機能と、ＷＥＢサーバから送信されたファイルに従ってキーボード１０３及びマウス１０２から所定の入力を受け付け、その入力情報をＷＥＢサーバ装置に送信する機能を実現する。
【００１９】
図３は、ホスティングサービスサイトサーバ装置２００の構成図である。バス２０１に対し、処理手段としてのＣＰＵ２０２、記憶手段としてのＲＡＭ２０３、ＲＯＭ、及びＨＤＤ２０４、並びにネットワーク接続手段としてのネットワークカード２０５が接続されている。Ｉ／Ｆはバスと各種デバイスのインターフェースを示している。ＨＤＤ２０４には、メールアドレス作成プログラム２０６、ホスティング情報データベース２０７等が格納されている。ＣＰＵ２０２は、ＨＤＤ２０４に予め格納された所定のソフトウェアプログラムをＲＡＭ２０３に読み出して実行することにより、ネットワークカード２０５を介してインターネット４００に接続する機能と、端末装置１００との情報の送受信機能と、１ｔｏ１ＥＣサイトサーバ装置３００との情報の送受信機能と、ホスティング情報データベース２０７への読み書き機能を実現する。
【００２０】
ホスティング情報データベース２０７は、図５で示される構造をしている。当該データベースはドメイン管理者テーブルとメールアドレステーブルを備え、複数のレコードを格納することができる。ドメイン管理者テーブルのレコードは、ドメイン管理者を一意に識別するＩＤ番号とドメイン管理者名の少なくとも２つのフィールドから構成される。また、メールアドレステーブルのレコードは、前記ＩＤ番号、メール利用者名、メールアドレスの少なくとも３つのフィールドから構成される。ドメイン管理者テーブルのレコードとメールアドレステーブルのレコードは、ＩＤ番号という共通のフィールドを持ち、一対多の関係を持つ。これにより、ドメイン管理者が作成したメールアドレスとその利用者名を効率的にホスティング情報データベースに格納することができる。また、メールアドレステーブルのメールアドレスフィールドの値は、＠記号以下の部分がドメイン管理者毎に異なっており、世界中で重複するものがないドメイン名となっている。これにより、メールアドレス作成時のレコード存在チェックを高速に行うことができる。例えば、図５において、ＩＤ番号１０００のドメイン管理者Ａがメールアドレスを作成する場合には、メールアドレステーブルにおいてＩＤ番号が１０００のレコードを検索し、該当したレコードのメールアドレスフィールドとこれから作成するメールアドレスが一致するか調べればよい。
【００２１】
図４は、１ｔｏ１ＥＣサイトサーバ装置３００の構成図である。バス３０１に対し、処理手段としてのＣＰＵ３０２、記憶手段としてのＲＡＭ３０３、ＲＯＭ及びＨＤＤ３０４、並びにネットワーク接続手段としてのネットワークカード３０５が接続されている。Ｉ／Ｆはバス３０１と各種デバイスのインターフェースを示している。ＨＤＤ３０４には、サイト連携サーバプログラム３０６と、ＥＣ情報データベース３０７等が格納されている。ＣＰＵ３０２は、ＨＤＤ３０４に予め格納された所定のソフトウェアプログラムをＲＡＭ３０３に読み出して実行することにより、ネットワークカード３０５を介してインターネット４００に接続する機能と、端末装置１００との情報の送受信機能と、ホスティングサービスサイトサーバ装置２００との情報の送受信機能と、ＥＣ情報データベース３０７への読み書き機能を実現する。
【００２２】
ＥＣ情報データベース３０７は、図６で示される構造をしている。当該データベースは利用者テーブルを備え、複数のレコードを格納することができる。利用者テーブルのレコードは、１ｔｏ１ＥＣサイトの利用者を一意に識別するメールアドレスと１ｔｏ１ＥＣサイト利用者名の少なくとも２つのフィールドから構成される。ホスティング情報データベースのメールアドレステーブルのレコードとＥＣ情報データベースの利用者テーブルのレコードは、メールアドレスという共通のフィールドを持ち、一対一の関係を持つ。これにより、ホスティングサービスサイトで新規作成されたメールアドレスの利用者を１ｔｏ１ＥＣサイトの利用者として、登録済チェックをせずに、ユーザ登録できる。
【００２３】
次に、本実施形態のシステムの動作について説明する。
【００２４】
図８は端末装置１００、ホスティングサービスサイトサーバ装置２００、並びに１ｔｏ１ＥＣサイトサーバ装置３００の処理および通信の様子を示している。
【００２５】
ホスティングサービスサイトのドメイン管理者は端末装置１００のＷＷＷブラウザ１０９で所定のＵＲＬを指定することにより、メールアドレス作成プログラム２０６を実行する（ステップＳ１０）。当該プログラムを実行するホスティングサービスサイトサーバ装置２００のＣＰＵ２０２は、実行を要求した端末装置１００に、メールアドレス作成画面の制御情報を送信する（ステップＳ１５）。端末装置１００のＣＰＵ１０５は、受信した制御情報をもとにメールアドレス作成画面をＷＷＷブラウザ１０９に表示する。図７は、メールアドレス作成画面の一例である。メールアドレス作成画面５００は、メールアドレスを作成するドメイン管理者のＩＤ番号表示欄５０１、アカウントの入力欄５０２、利用者名の入力欄５０３、並びに実行ボタン５０４を備えている。なお、アカウントの入力欄５０２の後ろには、ドメイン管理者毎に割り当てられているドメイン名を表示している。ドメイン管理者は、キーボード１０３及びマウス１０２によりそれぞれ情報を入力した後、実行ボタン５０４を押下する。実行ボタン５０４が押下されると、端末装置１００のＣＰＵ１０５は、ホスティングサービスサイトサーバ装置２００に入力情報を送信する（ステップＳ２０）。ホスティングサービスサイトサーバ装置２００のＣＰＵ２０２は、受信した入力情報の書式等について記述チェックを行い（ステップＳ２５）、問題がある場合にはエラーメッセージを端末装置１００に送信する（ステップＳ３０）。端末装置１００のＣＰＵ１０５は、受信したエラーメッセージをＷＷＷブラウザ１０９に表示する。一方、ホスティングサービスサイトサーバ装置２００のＣＰＵ２０２は、書式に問題がない場合、ホスティング情報データベース２０７に接続し（ステップＳ３５）、入力されたメールアドレスを持つレコードがメールアドレステーブルに存在するかチェックする（ステップＳ４０）。すでに存在する場合にはエラーメッセージを端末装置１００に送信する（ステップＳ４５）。端末装置１００のＣＰＵ１０５は受信したエラーメッセージをＷＷＷブラウザ１０９に表示する。一方、ホスティングサービスサイトサーバ装置２００のＣＰＵ２０２は、該当するレコードが存在しない場合、ホスティング情報データベース２０７のメールアドレステーブルにレコードを追加する（ステップＳ５０）。メールアドレステーブルに追加するレコードは、ＩＤ番号＝メールアドレス作成画面のＩＤ番号、メール利用者名＝メールアドレス作成画面の利用者名、メールアドレス＝メールアドレス作成画面のアカウント＋ドメイン名となっている。レコードの追加後、ホスティングサービスサイトサーバ装置２００のＣＰＵ２０２は、メールアドレスの作成完了メッセージを端末装置１００に送信する（ステップＳ５５）。端末装置１００のＣＰＵ１０５は受信した作成完了メッセージをＷＷＷブラウザ１０９に表示する。
【００２６】
さらに、ホスティングサービスサイトサーバ装置２００のＣＰＵ２０２は、サイト連携プログラム３０６を実行している１ｔｏ１ＥＣサイトサーバ装置３００にメールアドレス作成情報を送信する（ステップＳ６０）。送信するメールアドレス情報は、ホスティングサービスサイトでメールアドレスを新規作成した際に、ホスティング情報データベース２０７のメールアドレステーブルに追加したレコードの情報の一部または全部であり、メールアドレス、メール利用者名等を含んでいる。メールアドレス作成情報を受信した１ｔｏ１ＥＣサイトサーバ装置３００のＣＰＵ３０２は、ＥＣ情報データベース３０７に接続し（ステップＳ６５）、利用者テーブルにレコードを追加する（ステップＳ７０）。利用者テーブルに追加するレコードは、メールアドレス＝受信したメールアドレス、１ｔｏ１ＥＣサイト利用者名＝受信したメール利用者名となっている。１ｔｏ１ＥＣサイトサーバ装置３００のＣＰＵ３０２は、利用者テーブルへのレコード追加が正常に行われたかどうかという処理結果をチェックし（ステップＳ８０）、利用者テーブルへのレコード追加が正常に行われなかった場合に、エラーメッセージを１ｔｏ１ＥＣサイトの管理端末装置に送信する（ステップＳ８５）。当該エラーメッセージを受信した１ｔｏ１ＥＣサイトの管理端末装置は、前述した端末装置１００と同じ構成をしており、所定の方法により、エラーメッセージの表示等を行う。
【００２７】
このようにして、本実施形態のシステムは、ホスティングサービスサイトのメールアドレス作成をトリガーとして、１ｔｏ１ＥＣサイトのユーザ登録を自動で行うことができる。これにより、ホスティングサービスサイトのメールアドレス利用者は、１ｔｏ１ＥＣサイトのサービスを初めて利用するにあたって、メールアドレスと利用者情報（氏名など）を１ｔｏ１ＥＣサイトに申込書にて連絡する必要がなくなり、手間を省くことが可能となる。また、１ｔｏ１ＥＣサイトを運営する業者は、ホスティングサービスサイトのメールアドレス利用者に関して、申込書をもとにデータベースに手動でユーザ登録する必要がなくなり、業務効率の改善をおこなうことが可能となる。
【００２８】
上記実施形態の例では、ホスティングサービスサイト及び１ｔｏ１ＥＣサイトのサーバ装置は、１台のコンピュータから構成されるが、複数台からなる分散システムであってもよい。また、Ｆｉｒｅｗａｌｌはセキュリティーを配慮し設置しているがセキュリティー対策をしなくてすむ場合には、特にシステムの構成要素とする必要はない。
【００２９】
さらに、端末装置１００、ホスティングサービスサイトサーバ装置２００、並びに１ｔｏ１ＥＣサイトサーバ装置３００は、インターネット４００に接続されているが、通信媒体はインターネット４００だけでなく、イントラネット、ＬＡＮ、ＷＡＮ、ＶＰＮ（Ｖｉｒｔｕａｌ  Ｐｒｉｖａｔｅ  Ｎｅｔｗｏｒｋ）等であってもよい。
【００３０】
端末装置はインターネット接続機能を有するあらゆる装置であって、ＰＤＡ（Ｐｅｒｓｏｎａｌ  Ｄｉｇｉｔａｌ  Ａｓｓｉｓｔａｎｃｅ）、携帯電話等も含まれる。なお、端末装置は、インターネットに有線接続されているか、無線接続されているかを問わない。
【００３１】
また、メールアドレス作成プログラム２０６及びサイト連携プログラム３０６は、コンピュータ読取可能な媒体に格納されていればよく、ＨＤＤへの格納に限定されない。同様にデータベースは、コンピュータ読取及び書込み可能な媒体に格納されていればよい。
【００３２】
さらに、システムの動作として、図８において、メールアドレス作成完了メッセージの送信はホスティング情報データベースにレコード追加した後であればいつでもよい。また、１ｔｏ１ＥＣサイトのユーザ登録を自動で行う処理はバッチ処理で行ってもよい。
【００３３】
【発明の効果】
本発明を適用するシステムは、端末装置からのメールアドレス作成要求を受信したホスティングサービスサイトサーバ装置が、メールアドレス作成後、作成したメールアドレスの情報を１ｔｏ１ＥＣサイトサーバ装置に送信し、１ｔｏ１ＥＣサイトサーバ装置が、受信したメールアドレス情報をもとに、ホスティングサービスサイトのメールアドレスの新規利用者を、１ｔｏ１ＥＣサイトの利用者として登録するので、ホスティングサービスサイトのメールアドレス作成をトリガーとして、１ｔｏ１ＥＣサイトのユーザ登録を自動で行うことができる。これにより、従来、１ｔｏ１ＥＣサイトのサービスを初めて利用するにあたって、ホスティングサービスサイトのメールアドレスの新規利用者が１ｔｏ１ＥＣサイトに申込書にてメールアドレス及び／又はその利用者情報（氏名など）を連絡していた手続きをしなくて済むことになる。また、１ｔｏ１ＥＣサイトを運営する業者は、ホスティングサービスサイトのメールアドレスの新規利用者に関して、申込書をもとに手動でユーザ登録しなくて済む。
【図面の簡単な説明】
【図１】本発明に係るシステムの全体構成図である。
【図２】図１に示した端末装置の構成を示すブロック図である。
【図３】図１に示したホスティングサービスサイトサーバ装置の構成を示すブロック図である。
【図４】図１に示した１ｔｏ１ＥＣサイトサーバ装置の構成を示すブロック図である。
【図５】図３に示したホスティング情報データベースの構造を示す図である。
【図６】図４に示したＥＣ情報データベースの構造を示す図である。
【図７】メールアドレス作成画面の構成図である。
【図８】本発明に係るシステムの処理と通信の様子を示す図である。
【符号の説明】
１００  端末装置
１０５  端末装置のＣＰＵ（処理手段）
１０７  端末装置のＨＤＤ（記憶手段）
１０８  端末装置のネットワークカード（ネットワーク接続手段）
２００  ホスティングサービスサイトサーバ装置
２０２  ホスティングサービスサイトサーバ装置のＣＰＵ（処理手段）
２０４  ホスティングサービスサイトサーバ装置のＨＤＤ（記憶手段）
２０５  ホスティングサービスサイトサーバ装置のネットワークカード（ネットワーク接続手段）
２０６  メールアドレス作成プログラム
２０７  ホスティング情報データベース
３００  １ｔｏ１ＥＣサイトサーバ装置
３０２  １ｔｏ１ＥＣサイトサーバ装置のＣＰＵ（処理装置）
３０４  １ｔｏ１ＥＣサイトサーバ装置のＨＤＤ（記憶装置）
３０５  １ｔｏ１ＥＣサイトサーバ装置のネットワークカード（ネットワーク接続手段）
３０６  サイト連携プログラム
３０７  ＥＣ情報データベース
４００  インターネット
５００  メールアドレス作成画面
【図１】
2004164049.tif 000003
【図２】
2004164049.tif 000004
【図３】
2004164049.tif 000005
【図４】
2004164049.tif 000006
【図５】
2004164049.tif 000007
【図６】
2004164049.tif 000008
【図７】
2004164049.tif 000009
【図８】
2004164049.tif 000010